(57)【要約】【課題】オリジナルの画像におけるデザインの意図を保つ色変換を行う。【解決手段】画像変換するための色特性である変換指標および該変換指標と異なる色特性である新指標を用いて、取得画像の色を変換する配色提案装置１０および該装置における配色提案方法である。変換指標に基づいて、画像の色から変換指標の値を算出する。そして、変換指標の値に順位をつけ、新指標を変換指標の順位の数と同じ数に分割し、分割された新指標の値に順位をつける。さらに、変換指標の値と新指標の値の順位が対応するように、変換指標の値を新指標の値に置き換える。変換指標の値より基準値を定め、基準値に基づいて、算出された値を新指標の値へ変換する配色提案装置１０および配色提案方法である。【選択図】図１
2010135919.tif 000002
【特許請求の範囲】
【請求項１】
画像変換するための色特性である変換指標および該変換指標と異なる色特性である新指標を用いて、取得画像の色を変換する装置であって、
前記変換指標に基づいて、前記取得画像の色から、前記変換指標の値を算出する色処理手段と、
前記算出された値に順位をつける変換指標の順位作成手段と、
前記作成された順位を前記算出された値に付与する変換指標の順位付与手段と、
前記新指標を前記変換指標の順位の数と同じ数に分割し、前記分割された新指標の値に順位を作成する新指標の順位作成手段と、
前記算出された値と前記新指標の順位が対応するように、前記算出された値を前記新指標の値に置き換え、該置き換えた結果を出力させる色変換手段とを備えた
ことを特徴とする配色提案装置。
【請求項２】
前記新指標の順位作成手段が、前記算出された値に基準値を定め、
前記基準値に基づいて、前記色変換手段が前記算出された値を前記新指標の値へ変換する
ことを特徴とする請求項１に記載の配色提案装置。
【請求項３】
前記新指標の順位作成手段には、前記新指標の順位の方向が指定される
ことを特徴とする請求項１又は請求項２に記載の配色提案装置。
【請求項４】
画像変換するための色特性である変換指標および該変換指標と異なる色特性である新指標を用いて、取得画像の色を変換する方法であって、
色処理手段が、前記変換指標に基づいて、前記取得画像の色から、前記変換指標の値を算出する手順と、
変換指標の順位作成手段が、前記算出された値に順位をつける手順と、
変換指標の順位付与手段が、前記作成された順位を前記算出された値に付与する手順と、
新指標の順位作成手段が、前記新指標を前記変換指標の順位の数と同じ数に分割し、前記分割された新指標の値に順位を作成する手順と、
色変換手段が、前記算出された値と前記新指標の順位が対応するように、前記算出された値を前記新指標の値に置き換え、該置き換えた結果を出力させる手順とからなる
ことを特徴とする配色提案方法。
【請求項５】
さらに、前記新指標の順位作成手段が、前記算出された値に基準値を定める手順と、
前記色変換手段が、前記基準値に基づいて、算出された値を前記新指標の値へ変換する手順を備える
ことを特徴とする請求項４に記載の配色提案方法。
【請求項６】
さらに、前記新指標の順位作成手段に、前記新指標の順位の方向が指定される手順を備える
ことを特徴とする請求項４又は請求項５に記載の配色提案方法。
【請求項７】
請求項１から請求項３のうちいずれか１項に記載の配色提案装置を構成する各手段としてコンピュータを機能させるプログラム。
【発明の詳細な説明】
【技術分野】
【０００１】
本発明は、電子画像および電子コンテンツの色を変換する装置、方法およびプログラムに関する。
【背景技術】
【０００２】
近年、印刷物だけでなく電子機器におけるカラー表示が増え、現代社会において色彩は非常に重要な情報伝達手段の一つとなっている。そして、電子機器の技術の発達と共に、電子機器上でのカラーデザインも盛んに行われるようになり、支援するツールが多数出ている。それらツールの中でも、特に、既に配色が行われている画像の色を自動で変換し、他の配色案を提示するツールがある（非特許文献１）。
【０００３】
このようなツールは、デザイナの嗜好の偏りの影響を受けないデザイン、あるいはある一定の配色のルールに則った調和したデザインを作成する際に有効なツールである。このようなツールのことをここでは自動色変換ツールと呼ぶものとする。
【非特許文献１】Ｄａｎｉｅｌ Ｃｏｈｅｎ−Ｏｒ、外４名、「Ｃｏｌｏｒ Ｈａｒｍｏｎｉｚａｔｉｏｎ、ＡＣＭ Ｔｒａｎｓａｃｔｉｏｎｓ ｏｎ Ｇｒａｐｈｉｃｓ、Ｖｏｌｕｍｅ２５、Ｎｕｍｂｅｒ３、ｐｐ．６２４−６３０
【発明の開示】
【発明が解決しようとする課題】
【０００４】
色彩を使用した情報が増加している現状において、遺伝や疾患により色覚特性の異なる人にも情報が確実に伝わるようにする、あるいは様々な環境下でも確実に情報が伝わるようにするといった、カラーユニバーサルデザインという考え方が重要視されてきている。
【０００５】
例えば、地図上の等高線の様子が色相（色あい）の違いによって塗り分けられているような地図があるとする（図３参照）。このような、色相の違いだけで塗り分けられ、かつ明度の差が少ないような配色は、色覚のタイプによっては区別しにくい配色である場合がある。同様の問題はカラー画像を白黒で印刷した際にも起こりうる。
【０００６】
この問題を解決するには、例えば色の明度に変化をつけるといったように画像内の色を修正する必要がある。しかし、例えばこの地図の例では、「高さの違い」という概念を「色相の違い」で表現しており、色を修正する際も「高さの違い」という概念は保ったまま修正する必要がある。そのようなデザイン上の意図を考慮しながら、異なる色覚特性、あるいは異なる環境を想定して色を置き換えていくという作業は時間がかかることが多い。
【０００７】
この問題を解決するための一手段として、色の置き換えに時間のかからない自動色変換ツールの有用性は高い。しかし、従来の自動色変換ツールでは、例えば色を区別しやすくするために、色の間隔（色の数値の距離）を離すという方法を取ることがあり、極端に鮮やか、あるいは極端に明るい・暗いといった色に変換されることも多く、オリジナルの画像が持っている色同士の間隔や色の調和を崩してしまうことが多い。
【０００８】
それは、色の見え方を考慮しないで色の数値のみを変更することが原因である。また、色を置き換えるためのデータベースを作成するという方法では、色数が多くなると対応できない場合がある。
【課題を解決するための手段】
【０００９】
本発明では、元画像が持つ色の見えの属性（色相・彩度・明度等）や印象を一つの軸上に数値化し、その数値に順位を付け、その順位に沿った色変換を行うことで、オリジナルの画像におけるデザインの意図を保つ色変換を行う装置を提供する。
【００１０】
すなわち、本発明の請求項１に記載の配色提案装置は、画像変換するための色特性である変換指標および該変換指標と異なる色特性である新指標を用いて、取得画像の色を変換する装置であって、前記変換指標に基づいて、前記取得画像の色から、前記変換指標の値を算出する色処理手段と、前記算出された値に順位をつける変換指標の順位作成手段と、前記作成された順位を前記算出された値に付与する変換指標の順位付与手段と、前記新指標を前記変換指標の順位の数と同じ数に分割し、前記分割された新指標の値に順位を作成する新指標の順位作成手段と、前記算出された値と前記新指標の順位が対応するように、前記算出された値を前記新指標の値に置き換え、該置き換えた結果を出力させる色変換手段とを備えたことを特徴とする。
【００１１】
請求項２に記載の配色提案装置は、請求項１に記載された配色提案装置において、前記新指標の順位作成手段が、前記算出された値に基準値を定め、前記基準値に基づいて、前記色変換手段が前記算出された値を前記新指標の値へ変換することを特徴とする。
【００１２】
請求項３に記載の配色提案装置は、請求項１又は請求項２に記載された配色提案装置において、前記新指標の順位作成手段には、前記新指標の順位の方向が指定されることを特徴とする。
【００１３】
そして、請求項４に記載の配色提案方法は、画像変換するための色特性である変換指標および該変換指標と異なる色特性である新指標を用いて、取得画像の色を変換する方法であって、色処理手段が、前記変換指標に基づいて、前記取得画像の色から、前記変換指標の値を算出する手順と、変換指標の順位作成手段が、前記算出された値に順位をつける手順と、変換指標の順位付与手段が、前記作成された順位を前記算出された値に付与する手順と、新指標の順位作成手段が、前記新指標を前記変換指標の順位の数と同じ数に分割し、前記分割された新指標の値に順位を作成する手順と、色変換手段が、前記算出された値と前記新指標の順位が対応するように、前記算出された値を前記新指標の値に置き換え、該置き換えた結果を出力させる手順とからなることを特徴とする。
【００１４】
請求項５に記載の配色提案方法は、請求項４に記載の配色提案方法において、さらに、前記新指標の順位作成手段が、前記算出された値に基準値を定める手順と、前記色変換手段が、前記基準値に基づいて、算出された値を前記新指標の値へ変換する手順を備えることを特徴とする。
【００１５】
請求項６に記載の配色提案方法は、請求項４又は請求項５に記載の配色提案方法において、さらに、前記新指標の順位作成手段に、前記新指標の順位の方向が指定される手順を備えることを特徴とする。
【００１６】
そして、請求項７に記載のプログラムは、請求項１から請求項３のうちいずれか１項に記載の配色提案装置を構成する各手段としてコンピュータを機能させることを特徴とする。
【００１７】
請求項１に記載の配色提案装置および請求項４に記載の配色提案方法によれば、色覚特性の異なる人にも情報が伝わるように、文字や図の色を簡単に置き換えることができる。
【００１８】
特に請求項２に記載の配色提案装置および請求項５に記載の配色提案方法によれば、オリジナルの印象が変わらないように色変換できる。
【００１９】
そして、請求項３に記載の配色提案装置および請求項６に記載の配色提案方法によれば、色の反転を簡単に行うことができる。
【発明の効果】
【００２０】
本発明では、オリジナルの画像におけるデザインの意図を保つ色変換を行う装置を提供することができる。
【発明を実施するための最良の形態】
【００２１】
本発明の実施形態に係る配色提案装置について図１、図２を参照して説明する。
【００２２】
本発明に係る配色提案装置は、遺伝や疾患により色覚特性が異なる人にも情報が伝わるように、画像の色を置き換えるものである。ここでは画像に、例えば図や文字などのイメージデータも含まれるものとする。
【００２３】
本発明に係る配色提案装置は、画像を電子的に取得し、取得した画像の色から、変換される色特性である「変換指標」（例えば、色相や彩度若しくは明度等）の値が算出される。算出された値は順位付けされ、前記順位付けに基づいて、新しく置き換える色特性である「新指標」（例えば、色相や彩度若しくは明度等）の値に置き換えられる。この「新指標」に基づいて変換された画像が出力されるものである。なお、「変換指標」および「新指標」は、上記例示された色相や彩度若しくは明度に限定されるものではない。
【００２４】
すなわち、変換においては、「新指標」も順位付けがなされており、順位付けられた「新指標」と同じ順番で「変換指標」を変換することを「指標の方向」が「反転しない」とする。一方、「新指標」の順番と逆の順番で「変換指標」を変換することを「指標の方向」が「反転する」とする。
【００２５】
また、色相は、元図の色相の中央値を使う等「基準値」を設定することにより、元図の印象が変わらないようにする。
【００２６】
図１は本発明の実施形態に係る配色提案装置１０のブロック構成図である。また、図２は本発明の実施形態に係る配色提案装置１０における処理の流れを示したものである。
【００２７】
始めに、配色提案装置１０を構成する各手段を図１に基づいて説明する。配色提案装置１０は、操作手段１と、指標指定手段２と、画像取得手段３と、色処理手段４と、変換指標の順位作成手段５と、変換指標の順位付与手段６と、新指標の順位作成手段７と、色変換手段８と、画像描画手段９から構成される。
【００２８】
配色提案装置１０は通常のコンピュータの構成要素、例えばＣＰＵ（Ｃｅｎｔｒａｌ Ｐｒｏｃｅｓｓｏｒ Ｕｎｉｔ）、メモリ（ＲＡＭ）、ハードディスクドライブ装置、通信デバイスなどのハートウェア資源を備え、このハードウェア資源とインストール済みのソフトウェアとの協働によって前記各機能ブロック１〜９に係る処理が実行される。
【００２９】
操作手段１は、配色提案装置１０の使用者が指標指定手段２における「変換指標」、「新指標」、「指標の方向」を指定するための手段である。操作手段１は、キーボード等の入力装置で実現できる。
【００３０】
指標指定手段２には、操作手段１から、「変換指標」、「新指標」が指定される。
【００３１】
ここで、指標とは、色に関して１軸上に順位あるいは数といった値の大小で並べることのできる色の特徴のことと定義する。
【００３２】
本実施形態では色の３属性である「色相」、「彩度」、「明度」が指標の候補になるものとし、「変換指標」と「新指標」は３つの指標のうち、どれか１つが指定される。
【００３３】
また、指標指定手段２では、「指標の方向」も操作手段１の入力に基づき指定される。「指標の方向」は、指標の大小を「反転する」若しくは「反転しない」のどちらかを選択するものとする。
【００３４】
画像取得手段３は、画像を電子的に取得する手段であり、スキャナーを用いて画像を取得してもよく、またネットワーク経由で外部機器から画像を取得してもよい。ここでは一例として、ＪＰＥＧファイルのような電子画像ファイルを取得し、画像内の全ピクセルのＲＧＢ値を取得するものとする。
【００３５】
色処理手段４は、指標指定手段２から「変換指標」の情報を受けて、画像取得手段３で取得した画像の色空間計算を行い、指標となる色の属性を算出する手段である。
【００３６】
本実施形態では、取得した画像の各ピクセルのＲＧＢ値から、各ピクセルの色相、彩度、明度の値を算出する。そして、値の大小により、当該ピクセルが何色であるかの判定を行い、各ピクセルに色名の付与を行う。
【００３７】
変換指標の順位作成手段５は、指標指定手段２で「変換指標」と指定された色属性について、色処理手段４で算出された当該属性値の個数分だけ属性値の小さい方から順位付けを行う手段である。
【００３８】
変換指標の順位付与手段６は、色処理手段４で付与された各ピクセルの色名と対応する、変換指標の順位作成手段５において作成された順位数を、各ピクセルに付与していく手段である。
【００３９】
新指標の順位作成手段７は、指標指定手段２において「新指標」と指定された属性を、変換指標の順位作成手段５で作成された順位数と同じ個数で分割し、属性値の小さい方から順位付けする。ここで、指標指定手段２において「指標の方向」を「反転する」と指定した場合は、属性値の大きい方から順位付けする。さらに、新指標の順位作成手段７では、各順位に対応する属性値の代表値も作成する。
【００４０】
色変換手段８は、画像の各ピクセルに対し、指標指定手段２において「変換指標」と指定された属性値を平均値に変換する。また、「新指標」と指定された属性値は、変換指標の順位付与手段６で付与された変換指標の順位と新指標の順位が対応するように、オリジナルの値を新指標の順位作成手段７で作成した代表値に変換していく。
【００４１】
画像描画手段９は、色変換手段８で変換された属性値をＲＧＢ値に計算しなおし、画像として表示できるようにする手段である。
【００４２】
次に、本発明の実施形態に係る配色提案装置１０における処理の流れを、図２〜図９に基づいて説明する。
【００４３】
ステップＳ１で、画像取得手段３は電子画像ファイルを取得し、画像の全てのピクセルについて、ＲＧＢ値を取得する。ここでは、図３のような配色がなされた地図の画像を取得するものとする。ＲＧＢ値は、画像内の位置関係を保った形で取得される。各ピクセルのＲＧＢ値の情報は色処理手段４に送られる。
【００４４】
ステップＳ２で、操作手段１から、「変換指標」、「新指標」、「指標の方向」の３つのパラメータが指標指定手段２に指定される。ここでは、「変換指標」と「新指標」は色の「色相」、「彩度」、「明度」の中から選択するものとし、「指標の方向」は「反転する」「反転しない」の２つから選択する。
【００４５】
本実施形態では例として「変換指標」を「色相」、「新指標」を「明度」、「指標の方向」を「反転する」と指定するものとする。
【００４６】
指標指定手段２は、「変換指標」の情報を色処理手段４に、「新指標」と「指標の方向」の情報を新指標の順位作成手段７に送る。また、「変換指標」と「新指標」の情報を色変換手段８にも送る。
【００４７】
ステップＳ３で、色処理手段４は、指標指定手段２から送られた「変換指標」の情報を受けて、画像取得手段３で取得したＲＧＢ値を色相、彩度、明度の３値で表現できる色空間に変換する。
【００４８】
ここでは、明るさ成分（Ｌ*）と色み成分（ａ*、ｂ*）の３つの値を持つＬ*ａ*ｂ*（エルスターエースタービースター、又はエルエービー）表色系へと変換し、その値を用いて、彩度を示すＣ*値と、色相を示すＨ値とを求める。
【００４９】
Ｌ*とａ*、ｂ*は、互いに独立した軸である。Ｌ*値は０〜１００の範囲で変化し、値が大きいほど明るいことを示す。Ｌ*＝０の時は黒、Ｌ*＝１００の時は白となる。
【００５０】
色みを示すａ*値は、赤と緑の間で変化し、正の値であれば、赤みが強いことを示し、負の値であれば、緑みが強いことを示す。
【００５１】
ｂ*値は、青と黄の間で変化し、正の値であれば黄みが強いことを示し、負の値であれば、青みが強いことを示す。
【００５２】
ａ*＝０、ｂ*＝０であれば、色みが無い状態、すなわち灰色であり、この時Ｃ*＝０となる。Ｃ*値が大きくなるにつれて、鮮やかな色となる。Ｃ*値の最大値は色によって異なる。
【００５３】
色相を表すＨ値は角度によって表され、Ｈ＝０°の時およそ赤色となり、黄、緑、青、紫と変化し、一周すると再び赤に戻る。
【００５４】
色処理手段４では、このＬ*値、Ｃ*値、Ｈ値に基づいて、ピクセルが何色に該当するのかの判定を行う。
【００５５】
本実施形態では、「変換指標」として指定された「色相」について判定する。Ｈは０°から３６０°までの連続数であり、ここではＨを１０等分して、「赤・橙・黄・黄緑・緑・青緑・青・青紫・紫・赤紫」の１０種類の色相に分けるものとする（図４）。
【００５６】
例えば「赤」となるのは、３４７°≦Ｈ＜１３°の範囲、「橙」となるのは１３°≦Ｈ＜４９°となる。また、彩度値Ｃ*が０である色（無彩色）は、一つの色相としてカウントするものとする。よって色相名は１１種類となる。画像の各ピクセルの色相値Ｈがどの範囲にあるかによって、各ピクセルに色相名を付与していく。図３の例では、画像内に「無彩色（白）」「黄」「黄緑」「緑」の４つの色相が含まれている。
【００５７】
各ピクセルに付与された色相名の情報は、変換指標の順位作成手段５および変換指標の順位付与手段６に送られる。また、色相の個数（画像内にいくつの色があるか）の情報も変換指標の順位作成手段５に送られる。全ピクセルの３属性値は、位置関係を保った状態で色変換手段８に送られる。
【００５８】
ステップＳ４で、変換指標の順位作成手段５は、色処理手段４から受けた「変換指標」である「色相」の情報について、属性値であるＨ値の小さい方から並べ替える。図３の画像における色相の情報を、Ｈ値の小さい方から並び替えると、黄、黄緑、緑の順となる。
【００５９】
ここで、色相名として定義した無彩色（図３の場合、白）は、全ての色相名に対して優先的に順位をつけるものとする。そして、１位から色の個数分だけ順位をつけていく。よって、図３における色相名と順位との対応は、１位が白、２位が黄、３位が黄緑、４位が緑となる。
【００６０】
色と順位の対応の情報は変換指標の順位付与手段６に送られる。また、順位の個数の情報は新指標の順位作成手段７に送られる。
【００６１】
ステップＳ５で、変換指標の順位付与手段６は、色処理手段４から受けた画像の全ピクセルに対し、変換指標の順位作成手段５で作成された色相名と順位数の対応に従って、図５の例のように順位数を付与していく。各ピクセルの順位数の情報が、位置を保った状態で色変換手段８に送られる。
【００６２】
ステップＳ６で、新指標の順位作成手段７は、指標指定手段２で指定された「新指標」の情報を受けて、新指標の属性と順位づけを行う。
【００６３】
本実施形態では、「新指標」である「明度」と順位との対応を作成する。ここで、順位の個数は変換指標の順位作成手段５で作成された数と同じであるとする。ステップＳ３で述べたように、Ｌ*は０から１００の範囲で変化する。
【００６４】
本実施形態では、Ｌ*の０から１００の間を４分割するものとし、指標指定手段２で「指標の方向」を「反転する」と指定したため、明度値の高い方から順位をつけていくものとする。
【００６５】
また、新指標の順位作成手段７では、各順位における属性の代表値を決定する。ここでは、明度値を４分割した各範囲の中央値を用いて、１位がＬ*＝８７．５、２位がＬ*＝６２．５、３位がＬ*＝３７．５、４位がＬ*＝１２．５であるとする。
【００６６】
ステップＳ７で、色変換手段８は、色処理手段４から受けた画像の各ピクセルの属性値のうち、指標指定手段２において「変換指標」と指定された属性値を中央値に変換する。図３の例では、画像に含まれる色相は白、黄、黄緑、緑であり、無彩色である白を除くと、色相値Ｈは黄色のＨ＝４９°から緑のＨ＝１９２．９°に分布している。ここではほぼ中央値となるＨ＝１２１°（黄緑）で統一するものとする。
【００６７】
そして、「新指標」の属性値を、変換指標の順位付与手段６で付与された変換指標の順位と新指標の順位が対応するように、元の属性値を新指標の順位作成手段７で作成した代表値に変換していく。
【００６８】
ここでは、各ピクセルの明度値Ｌ*を変換するため、変換指標の１位である白色部分の明度は新指標の１位であるＬ*＝８７．５に、変換指標の２位である黄部分の明度は、新指標の２位であるＬ*＝６２．５に、といったように、各ピクセルの明度値を置き換えていく。
【００６９】
以上の処理により、変換指標であった色相値は一定となり、変換指標の並び順に対応した明度が新しく付与されることとなる。図３の画像について、「変換指標」である色相の変化、および「新指標」である明度の変化を図６に示した。色変換された新しい明度値、色相値、そしてオリジナルのままの彩度値の情報が画像描画手段９に送られる。
【００７０】
ステップＳ８で、画像描画手段９は、色変換手段８から送られた明度値、色相値、彩度値の情報をＲＧＢ値に変換し、画像としてモニタに描画する。元の画像（図３）と色変換を行った画像との比較を図７に示す。
【００７１】
なお、指標指定手段２において、本実施形態では「変換指標」に「色相」、「新指標」に「明度」を用いたが、もう一つの属性である「彩度」を用いることも可能である。また、「変換指標」と「新指標」は同じ属性を用いてもよい。例えば、「指標の方向」を「反転する」と指定すると、その属性の大小を反転させた画像を作成することが可能となる。
【００７２】
また、指標指定手段２において、指標の内容として色の見えの属性（「色相」「明度」「彩度」）を用いたが、他の色が持つ特徴を利用することも可能である。例として、色には「暖色」と「寒色」があると言われている。図８のように、１０色相を暖色、寒色の２種類に分け、それぞれに１位から５位までの順位をつけ（（１）〜（５））、対応する順位の色に変換するといったことも可能である。元画像に暖色と寒色の両方が存在する場合があるため、例えば暖色をプラス、寒色をマイナス（−１位など）とし、暖色と寒色を逆転させた指標をもう一つ作成し新指標として用いることによって、画像の暖色と寒色を逆転させることが可能である。
【００７３】
他の指標として、色によって目立ちやすさが異なるという「色の誘目性」という特性を指標として用いることも可能である。色は、暖色の方でより目立ちやすいと言われている。
【００７４】
図９のように、赤から青緑にかけて、赤、橙、黄と変化する場合と、赤、赤紫、紫と変化する場合とで２種類の順位をつけた指標を用意して置き換えることも可能である。（図９の場合、赤と青緑は元画像のまま変換されない。）指標指定手段２で「指標の方向」を「反転する」と指定すれば、目立ちやすさの順位を逆転させることも可能となる。
【００７５】
画像取得手段３において、電子画像ファイルはＪＰＥＧ画像であるとしたが、ピクセルのＲＧＢ値が取得できる電子画像であればどのようなフォーマットでも良い。
【００７６】
色処理手段４において、ＲＧＢ値をＬ*ａ*ｂ*値に変換するものとしたが、数値によって色の見えを表せるものであれば他の色空間を用いても良い。
【００７７】
色処理手段４において、色相名は１０種類＋無彩色の１１種類にする必要は無く、他の分類基準を用いることで異なる数となってもよい。
【００７８】
新指標の順位作成手段７において、新指標の属性の代表値は各範囲の中央値であるとしたが、別の方法で代表値を求めても良い。例えば各範囲の最大値を代表値として用いることも可能である。
【００７９】
色変換手段８において、変換指標の属性値は中央値で統一するものとしたが、必ずしも中央値でなくても良い。図６において、他の色相値、あるいは色相の無い無彩色にすることも可能である。
【００８０】
画像描画手段９において、色変換を行った画像を描画するものとしたが、必ずしもこの方法でなくても良い。例えば、色変換の結果生成されたＲＧＢ値をテキスト表示したりすることも可能である。
【００８１】
なお、本発明では、無彩色の画像から色みのある画像に容易に変換することができる。例えば、「変換指標」を元画像の明度であるとして、「新指標」を色相とし、色変換手段８において彩度に任意の値を設定する処理を追加すれば、明度変化を色相変化に置き換えることが可能となる。「新指標」を彩度とした場合も同様に、任意の色相を設定すれば、明度変化を彩度変化に置き換えることができる。元画像の明度の値に対し、有彩色（色みのある色）と対応付けたデータベースを用意する必要が無くなる。
【００８２】
なお、本発明は、上述の実施形態に限定されるものでなく、配色提案装置１０を構成する各機能ブロック１〜９に係る処理としてコンピュータを機能させるプログラムの態様としてもよい。このプログラムは、ステップＳ３〜ステップＳ７などの一部のステップを実行させるものであってもよい。
【００８３】
前記プログラムはコンピュータ読み取り可能な既知の記録媒体に格納して提供又はネットワークを通じて提供することもできる。
【００８４】
以上説明したように、本発明に係る配色提案装置１０は、自動的に元画像が持つ色の見えの属性（色相・彩度・明度）や印象を一つの軸上に数値化し、順位付け、その順位に沿った色変換を行うことで、オリジナルの画像におけるデザインの意図を保つ色変換を行う装置を提供することができる。
【００８５】
様々な色の特性を、順位という数で表現して対応付けるため、異なる特性同士で容易に色を置き換えることが可能であり、また、順位に対応した色特性の値を用いることによって、色の見えの間隔や印象を反映させた上で、別の配色の画像にすることができる。順位を逆転させることにより、色の特性の変化を容易に逆転することも可能である。
【図面の簡単な説明】
【００８６】
【図１】本発明の実施形態に係る配色提案装置１０を示すブロック図。
【図２】本発明の実施形態に係る配色提案装置１０の処理を示す図。
【図３】本発明の実施形態に係る画像取得手段３が取得する画像の例を示した図。
【図４】本発明の実施形態に係る色処理手段４において色相角Ｈによって色相名を決定する模式図。
【図５】本発明の実施形態に係る変換指標の順位付与手段６において、画像の各ピクセルの属性値に対し、変換指標の順位を付与した例を示した図。
【図６】元画像と変換後の色相値と明度値の変化を示した図。
【図７】元画像と変換後の画像を比較した図。
【図８】本発明の実施形態に係る指標指定手段２において、暖色と寒色を指標として定義した場合を示す図。
【図９】本発明の実施形態に係る指標指定手段２において、色の目立ちやすさを指標として定義した場合を示す図。
【符号の説明】
【００８７】
１…操作手段
２…指標指定手段
３…画像取得手段
４…色処理手段
５…変換指標の順位作成手段
６…変換指標の順位付与手段
７…新指標の順位作成手段
８…色変換手段
１０…配色提案装置
【図１】
2010135919.tif 000003
【図２】
2010135919.tif 000004
【図３】
2010135919.tif 000005
【図４】
2010135919.tif 000006
【図５】
2010135919.tif 000007
【図６】
2010135919.tif 000008
【図７】
2010135919.tif 000009
【図８】
2010135919.tif 000010
【図９】
2010135919.tif 000011